【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
ヒトの目における近視又は遠視の進行を遅延させるための方法であって、
（ａ）第１屈折力を有する第１光学領および少なくとも１つの第２屈折力を有する第２光学領を備える同心フレネル型多重焦点レンズを提供するステップと、
（ｂ）第１屈折力を用いて近視又は遠視を矯正するステップおよび第２屈折力を用いて少なくとも１つの焦点外れを発生させるステップと、
を備え、
第１光学領が、近くの対象及び遠方の対象を見ることを可能にし、
第２光学領が、近視を遅延させる近視性焦点外れを発生させるか、又は遠視を遅延させる遠視性焦点外れを発生させる、方法。
【請求項２】
前記ステップ（ｂ）が、
近視を矯正するために第１光学領を通してヒトの目の網膜上で対象の第１光線の焦点合わせを行う工程と、
少なくとも１つの近視性焦点外れを発生させるために第２光学領を通して網膜の前方で対象の第２光線の焦点合わせを行う工程と、
を備える、請求項１に記載の方法。
【請求項３】
前記ステップ（ｂ）が、
遠視を矯正するために第１光学領を通してヒトの目の網膜上で対象の第１光線の焦点合わせを行う工程と、
少なくとも１つの遠視性焦点外れを発生させるために第２光学領を通して網膜の後方で前記対象の第２光線の焦点合わせを行う工程と、
を備える、請求項１に記載の方法。
【請求項４】
前記ステップ（ａ）が、前記ステップ（ｂ）における焦点外れを生成するフレネル同心二重焦点レンズを提供する工程を備える、請求項１に記載の方法。
【請求項５】
前記ステップ（ａ）が、前記ステップ（ｂ）における２つ以上の焦点外れを生成するフレネル同心多重焦点レンズを提供する工程を備える、請求項１に記載の方法。
【請求項６】
同心フレネル型多重焦点レンズが、同心フレネル型二重焦点レンズである、請求項１に記載の方法。
【請求項７】
ヒトの目における近視又は遠視の進行を遅延させるための方法であって、
第１屈折力を有する第１光学領および少なくとも１つの第２屈折力を有する第２光学領を備える同心レンズを提供するステップと、
第１屈折力を用いて近視又は遠視を矯正するステップおよび第２屈折力を用いて少なくとも１つの焦点外れを発生させるステップと、
を備え、
第１光学領が、近くの対象及び遠方の対象を見ることを可能にし、
第２光学領が、近視を遅延させる近視性焦点外れを発生させるか、又は遠視を遅延させる遠視性焦点外れを発生させる、方法。
【請求項８】
前記同心レンズがフレネル型レンズである、請求項７に記載の方法。
【請求項９】
前記同心レンズが多重焦点レンズである、請求項７に記載の方法。
【請求項１０】
前記同心レンズが二重焦点レンズである、請求項７に記載の方法。
【請求項１１】
目における少なくとも１つの屈折異常状態の進行を治療する際に用いるためのレンズであって、
前記レンズが、第１屈折領と第２屈折領とを有する同心領を備え、
前記レンズの使用中に前記第１屈折領が焦点合わせされた画像を生成するように、前記第１屈折領が、少なくとも１つの第１屈折力を有するように形成され、
前記少なくとも１つの屈折異常状態の進行を治療するために、前記レンズの使用中に前記第２屈折領が焦点外れした画像を生成するように、前記第２屈折領が、少なくとも１つの第２屈折力を有するように形成される、レンズ。
【請求項１２】
前記レンズが、少なくとも３つの同心領を備える、請求項１１に記載のレンズ。
【請求項１３】
前記レンズがフレネル型レンズである、請求項１１に記載のレンズ。
【請求項１４】
前記少なくとも１つの屈折異常状態の進行を治療するために、もう１つの焦点外れした画像を使用中に生成するためのもう１つの第２屈折力を含むように形成されるもう１つの第２屈折領を前記同心領が更に備える、請求項１１に記載のレンズ。
【請求項１５】
前記第１屈折領が、中心光学領において前記焦点合わせされた画像を使用中に生成するように形成され、前記第２屈折領が、前記焦点合わせされた画像から離れた位置で前記中心光学領において前記焦点外れした画像を使用中に生成するように形成される、請求項１１に記載のレンズ。
【請求項１６】
前記第１屈折領が、第１屈折率を有する第１材料から形成され、
前記第２屈折領が、前記第１屈折率とは異なる第２屈折率を有する第２材料から形成される、請求項１１に記載のレンズ。
【請求項１７】
前記第１屈折力が矯正するものである、請求項１１に記載のレンズ。
【請求項１８】
前記レンズがコンタクトレンズである、請求項１１に記載のレンズ。
【請求項１９】
前記少なくとも１つの屈折異常状態が近視を含む、請求項１１に記載のレンズ。
【請求項２０】
前記少なくとも１つの屈折異常状態が遠視を含む、請求項１１に記載のレンズ。
【請求項２１】
前記第１屈折領が前記第２屈折領に接触している、請求項１１に記載のレンズ。
【請求項２２】
前記第１屈折領と前記第２屈折領との間に位置する少なくとも１つの更なる屈折領を前記同心領が更に備える、請求項１１に記載のレンズ。
【請求項２３】
目における少なくとも１つの屈折異常状態の進行を治療する際に用いるためのレンズであって、
前記レンズが、第１屈折領と第２屈折領とを有する同心領を備え、
焦点合わせされた画像を生成するように構成された少なくとも１つの第１屈折力を有するように前記第１屈折領が形成され、
前記少なくとも１つの屈折異常状態の進行を治療するために、焦点外れした画像を生成するように構成された少なくとも１つの第２屈折力を有するように前記第２屈折領が形成される、レンズ。
【請求項２４】
前記レンズが、少なくとも３つの同心領を備える、請求項２３に記載のレンズ。
【請求項２５】
前記レンズがフレネル型レンズである、請求項２３に記載のレンズ。
【請求項２６】
前記少なくとも１つの屈折異常状態の進行を治療するために、もう１つの焦点外れした画像を生成するように構成されたもう１つの第２屈折力を含むように形成されるもう１つの第２屈折領を前記同心領が更に備える、請求項２３に記載のレンズ。
【請求項２７】
前記第１屈折領が、中心光学領において前記焦点合わせされた画像を生成するように構成され、前記第２屈折領が、前記焦点合わせされた画像から離れた位置で前記中心光学領において前記焦点外れした画像を生成するように構成される、請求項２３に記載のレンズ。
【請求項２８】
前記第１屈折領が、第１屈折率を有する第１材料から形成され、
前記第２屈折領が、前記第１屈折率とは異なる第２屈折率を有する第２材料から形成される、請求項２３に記載のレンズ。
【請求項２９】
前記第１屈折力が矯正するものである、請求項２３に記載のレンズ。
【請求項３０】
前記レンズがコンタクトレンズである、請求項２３に記載のレンズ。
【請求項３１】
前記少なくとも１つの屈折異常状態が近視を含む、請求項２３に記載のレンズ。
【請求項３２】
前記少なくとも１つの屈折異常状態が遠視を含む、請求項２３に記載のレンズ。
【請求項３３】
前記第１屈折領が、中心光学領において前記焦点合わせされた画像を生成するように構成され、
前記第２屈折領が、前記中心光学領及び周辺光学領において前記焦点外れした画像を生成するように構成される、請求項２３に記載のレンズ。
【請求項３４】
前記第１屈折領が、中心光学領において前記焦点合わせされた画像を生成するように構成され、
前記第２屈折領が、周辺光学領において前記焦点外れした画像を生成するように構成される、請求項２３に記載のレンズ。
【請求項３５】
前記第１屈折領が、中心光学領において前記焦点合わせされた画像を生成するように構成され、
前記第２屈折領が、前記中心光学領において前記焦点外れした画像を生成するように構成される、請求項２３に記載のレンズ。
【請求項３６】
前記第１屈折領が前記第２屈折領に接触している、請求項２３に記載のレンズ。
【請求項３７】
前記第１屈折領と前記第２屈折領との間に位置する少なくとも１つの更なる屈折領を前記同心領が更に備える、請求項２３に記載のレンズ。
【請求項３８】
目における屈折異常の進行を治療するためのレンズであって、
前記レンズが、中心第１屈折領と、前記中心第１屈折領の周りに同心に形成された第２屈折領とを含み、前記第１屈折領が、第１屈折力で焦点合わせされた視覚画像を生成するように形成され、前記第２屈折領が、第２屈折力で前記屈折異常の進行を治療するための焦点外れした視覚画像を生成するように形成される、レンズ。
【請求項３９】
前記レンズがフレネル型レンズである、請求項３８に記載のレンズ。
【請求項４０】
前記第１屈折力が矯正するものである、請求項３８に記載のレンズ。
【請求項４１】
前記屈折異常が近視である、請求項３８に記載のレンズ。
【請求項４２】
前記屈折異常が遠視である、請求項３８に記載のレンズ。
【請求項４３】
前記中心第１屈折領が前記第２屈折領に接触している、請求項３８に記載のレンズ。
【請求項４４】
前記中心第１屈折領と前記第２屈折領との間に位置する少なくとも１つの更なる屈折領を更に含む、請求項３８に記載のレンズ。
【請求項４５】
目における少なくとも１つの屈折異常状態の進行を治療するように成形されたレンズであって、
第１屈折力で焦点合わせされた視覚画像を生成するように成形された第１中心屈折領と、
前記第１中心屈折領の周りに同心に形成された第２屈折領であって、焦点外れした第１視覚画像を生成するように成形され、第２屈折力で前記少なくとも１つの屈折異常状態の進行を治療するように成形された前記第２屈折領と、
前記第２屈折領の周りに同心に形成された第３屈折領であって、焦点外れした第２視覚画像を生成するように成形され、第３屈折力で前記少なくとも１つの屈折異常状態の進行を治療するように成形された前記第３屈折領と、
を備える、レンズ。
【請求項４６】
前記レンズがフレネル型レンズである、請求項４５に記載のレンズ。
【請求項４７】
前記第１屈折力が矯正するものである、請求項４５に記載のレンズ。
【請求項４８】
前記少なくとも１つの屈折異常状態が近視を含む、請求項４５に記載のレンズ。
【請求項４９】
前記少なくとも１つの屈折異常状態が遠視を含む、請求項４５に記載のレンズ。
【請求項５０】
前記第１中心屈折領が前記第２屈折領に接触している、請求項４５に記載のレンズ。
【請求項５１】
前記第１中心屈折領と前記第２屈折領との間に位置する第４屈折領を更に備える、請求項４５に記載のレンズ。
【請求項５２】
前記第２屈折領が前記第３屈折領に接触している、請求項４５に記載のレンズ。
【請求項５３】
前記第２屈折領と前記第３屈折領との間に位置する第４屈折領を更に備える、請求項４５に記載のレンズ。
【請求項５４】
近視の進行を治療する際に用いるためのレンズであって、
前記レンズが、第１屈折領と第２屈折領とを有する同心領を備え、
前記レンズの使用中に前記第１屈折領が焦点合わせされた画像を生成するように、前記第１屈折領が第１屈折力を含むように形成され、
近視の進行を治療するように目の成長に影響を与えるために、前記レンズの使用中に前記第２屈折領が焦点外れした画像を生成するように、前記第２屈折領が第２屈折力を含むように形成される、レンズ。
【請求項５５】
前記第１屈折領が、前記レンズの使用中に患者の黄斑の中心光学領において前記焦点合わせされた画像のための第１焦点を生成するように形成され、
前記第２屈折領が、前記レンズの使用中に患者の黄斑の前方に前記第１焦点から離れた位置で前記中心光学領において前記焦点外れした画像のための第２焦点を生成するように形成され、前記第２焦点が前記レンズと前記第１焦点との間に位置する、請求項５４に記載のレンズ。
【請求項５６】
前記レンズが、少なくとも３つの同心領を備える、請求項５４に記載のレンズ。
【請求項５７】
前記レンズがフレネル型レンズである、請求項５４に記載のレンズ。
【請求項５８】
近視の進行を治療するように目の成長に影響を与えるために、もう１つの焦点外れした画像を使用中に生成するためのもう１つの第２屈折力を含むように形成されるもう１つの第２屈折領を前記同心領が更に備える、請求項５４に記載のレンズ。
【請求項５９】
前記第１屈折領が、第１屈折率を有する第１材料から形成され、
前記第２屈折領が、前記第１屈折率とは異なる第２屈折率を有する第２材料から形成される、請求項５４に記載のレンズ。
【請求項６０】
前記第１屈折力が矯正するものである、請求項５４に記載のレンズ。
【請求項６１】
前記第１屈折領が前記第２屈折領に接触している、請求項５４に記載のレンズ。
【請求項６２】
前記第１屈折領と前記第２屈折領との間に位置する少なくとも１つの更なる屈折領を前記同心領が更に備える、請求項５４に記載のレンズ。
【請求項６３】
遠視の進行を治療する際に用いるためのレンズであって、
前記レンズが、第１屈折領と第２屈折領とを有する同心領を備え、
前記レンズの使用中に前記第１屈折領が焦点合わせされた画像を生成するように、前記第１屈折領が第１屈折力を含むように形成され、
遠視の進行を治療するように目の成長を促進するために、前記レンズの使用中に前記第２屈折領が焦点外れした画像を生成するように、前記第２屈折領が第２屈折力を含むように形成される、レンズ。
【請求項６４】
前記第１屈折領が、前記レンズの使用中に患者の黄斑の中心光学領において前記焦点合わせされた画像のための第１焦点を生成するように形成され、
前記第２屈折領が、前記レンズの使用中に患者の黄斑の後方に前記第１焦点から離れた位置で前記中心光学領において前記焦点外れした画像のための第２焦点を生成するように形成され、前記第１焦点が前記レンズと前記第２焦点との間に位置する、請求項６３に記載のレンズ。
【請求項６５】
前記レンズが、少なくとも３つの同心領を備える、請求項６３に記載のレンズ。
【請求項６６】
前記レンズがフレネル型レンズである、請求項６３に記載のレンズ。
【請求項６７】
遠視の進行を治療するように目の成長を促進するために、もう１つの焦点外れした画像を使用中に生成するためのもう１つの第２屈折力を含むように形成されるもう１つの第２屈折領を前記同心領が更に備える、請求項６３に記載のレンズ。
【請求項６８】
前記第１屈折領が、第１屈折率を有する第１材料から形成され、
前記第２屈折領が、前記第１屈折率とは異なる第２屈折率を有する第２材料から形成される、請求項６３に記載のレンズ。
【請求項６９】
前記第１屈折力が矯正するものである、請求項６３に記載のレンズ。
【請求項７０】
前記第１屈折領が前記第２屈折領に接触している、請求項６３に記載のレンズ。
【請求項７１】
前記第１屈折領と前記第２屈折領との間に位置する少なくとも１つの更なる屈折領を前記同心領が更に備える、請求項６３に記載のレンズ。
【請求項７２】
正視に向かって軸方向の目の成長に影響を及ぼすために目の焦点外れ平衡を変化させる際に用いるためのレンズであって、
使用中に前記目の網膜上に焦点合わせされた画像を生成する手段と、
使用中に前記目の前記網膜上に焦点外れした画像を生成する手段と、
を備える、レンズ。
【請求項７３】
前記焦点合わせされた画像を生成する手段が、前記レンズの中心領に位置する第１屈折領を備え、
前記焦点外れした画像を生成する手段が、前記第１屈折領の周りに同心に位置する第２屈折領を備える、請求項７２に記載のレンズ。
【請求項７４】
前記レンズがフレネル型レンズである、請求項７３に記載のレンズ。
【請求項７５】
前記第１屈折領が、第１屈折率を有する第１材料から形成され、
前記第２屈折領が、前記第１屈折率とは異なる第２屈折率を有する第２材料から形成される、請求項７３に記載のレンズ。
【請求項７６】
前記第１屈折領と前記第２屈折領との間の転移は漸進的である、請求項７３に記載のレンズ。
【請求項７７】
前記第１屈折領が、中心光学領において前記焦点合わせされた画像を生成し、
前記第２屈折領が、前記中心光学領及び周辺光学領において前記焦点外れした画像を生成する、請求項７３に記載のレンズ。
【請求項７８】
前記第１屈折領が、中心光学領において前記焦点合わせされた画像を生成し、
前記第２屈折領が、周辺光学領において前記焦点外れした画像を生成する、請求項７３に記載のレンズ。
【請求項７９】
前記第１屈折領が、中心光学領において前記焦点合わせされた画像を生成し、
前記第２屈折領が、前記中心光学領において前記焦点外れした画像を生成する、請求項７３に記載のレンズ。
【請求項８０】
前記レンズがフレネル型レンズである、請求項７２に記載のレンズ。
【請求項８１】
使用中に前記目の前記網膜上に焦点外れした第２画像を生成する手段を更に備える、請求項７２に記載のレンズ。
【請求項８２】
前記焦点合わせされた画像を生成する手段が、前記レンズの中心領に位置する第１屈折領を備え、
前記焦点外れした画像を生成する手段が、前記第１屈折領の周りに同心に位置する第２屈折領を備え、
前記焦点外れした第２画像を生成する手段が、前記第１屈折領の周りに同心に位置するもう１つの第２屈折領を備える、請求項８１に記載のレンズ。
【請求項８３】
正視に向かって軸方向の目の成長に影響を及ぼすために目の焦点外れ平衡を変化させる際に用いるためのレンズであって、
前記レンズの中心領に位置しており、前記レンズの使用中に前記目の網膜上に焦点合わせされた視覚画像を生成するように形成された第１屈折領と、
前記第１屈折領の周りに同心に位置する第２屈折領であって、前記レンズの使用中に前記目の前記網膜上に焦点外れした視覚画像を生成するように形成された第２屈折領と、
を備える、レンズ。
【請求項８４】
前記レンズがフレネル型レンズである、請求項８３に記載のレンズ。
【請求項８５】
前記焦点合わせされた視覚画像が、中心光学領において生成され、
前記焦点外れした視覚画像が、前記中心光学領において生成される、請求項８３に記載のレンズ。
【請求項８６】
前記焦点合わせされた視覚画像が、中心光学領において生成され、
前記焦点外れした視覚画像が、周辺光学領において生成される、請求項８３に記載のレンズ。
【請求項８７】
前記焦点合わせされた視覚画像が、中心光学領において生成され、
前記焦点外れした視覚画像が、前記中心光学領及び周辺光学領において生成される、請求項８３に記載のレンズ。
【請求項８８】
前記第１屈折領が前記第２屈折領に接触している、請求項８３に記載のレンズ。
【請求項８９】
前記第１屈折領と前記第２屈折領との間に位置する少なくとも１つの更なる屈折領を更に備える、請求項８３に記載のレンズ。
【請求項９０】
目における少なくとも１つの屈折異常状態の進行を治療するためのレンズキットであって、
前記レンズキットが、第１レンズ領と前記第１レンズ領の周りに同心に位置する第２レンズ領とを有するレンズを備え、
前記レンズの使用中に前記第１レンズ領が焦点合わせされた画像を生成するように、前記第１レンズ領が、少なくとも１つの第１屈折力を有するように形成され、
前記少なくとも１つの屈折異常状態の進行を治療するために、前記レンズの使用中に前記第２レンズ領が焦点外れした画像を生成するように、前記第２レンズ領が、少なくとも１つの第２屈折力を有するように形成される、レンズキット。
【請求項９１】
前記レンズの使用中に患者の目の中心光学領に沿って前記焦点外れした画像を生成するように前記第２レンズ領が形成される、請求項９０に記載のレンズキット。
【請求項９２】
前記レンズがフレネル型レンズである、請求項９０に記載のレンズキット。
【請求項９３】
前記第１レンズ領が、第１屈折率を有する第１材料から形成され、
前記第２レンズ領が、前記第１屈折率とは異なる第２屈折率を有する第２材料から形成される、請求項９０に記載のレンズキット。
【請求項９４】
前記少なくとも１つの屈折異常状態が近視を含む、請求項９０に記載のレンズキット。
【請求項９５】
前記少なくとも１つの屈折異常状態が遠視を含む、請求項９０に記載のレンズキット。
【請求項９６】
前記第１レンズ領が前記第２レンズ領に接触している、請求項９０に記載のレンズキット。
【請求項９７】
前記第１レンズ領と前記第２レンズ領との間に位置する少なくとも１つの更なるレンズ領を前記レンズが更に備える、請求項９０に記載のレンズキット。
【請求項９８】
目における少なくとも１つの屈折異常状態の進行を治療するためのレンズキットであって、
前記レンズキットが、第１レンズ領と前記第１レンズ領の周りに同心に位置する第２レンズ領とを有するレンズを備え、
前記第１レンズ領が、焦点合わせされた画像を生成するように構成された少なくとも１つの第１屈折力を有するように形成され、
前記少なくとも１つの屈折異常状態の進行を治療するために、焦点外れした画像を生成するように構成された少なくとも１つの第２屈折力を有するように前記第２レンズ領が形成される、レンズキット。
【請求項９９】
前記第２レンズ領が、患者の目の中心光学領に沿って前記焦点外れした画像を生成するように構成される、請求項９８に記載のレンズキット。
【請求項１００】
前記レンズがフレネル型レンズである、請求項９８に記載のレンズキット。
【請求項１０１】
前記第１レンズ領が、第１屈折率を有する第１材料から形成され、
前記第２レンズ領が、前記第１屈折率とは異なる第２屈折率を有する第２材料から形成される、請求項９８に記載のレンズキット。
【請求項１０２】
前記少なくとも１つの屈折異常状態が近視を含む、請求項９８に記載のレンズキット。
【請求項１０３】
前記少なくとも１つの屈折異常状態が遠視を含む、請求項９８に記載のレンズキット。
【請求項１０４】
前記第１レンズ領が前記第２レンズ領に接触している、請求項９８に記載のレンズキット。
【請求項１０５】
前記第１レンズ領と前記第２レンズ領との間に位置する少なくとも１つの更なるレンズ領を前記レンズが更に備える、請求項９８に記載のレンズキット。